(57)【特許請求の範囲】
【請求項１】
テープカッタを用いて、受像層と剥離層とを有するテープ状部材を切断可能な切断装置であって、
前記テープ状部材の受像層のみを切断可能なハーフカッタと、前記テープ状部材の受像層よび剥離層を切断可能なフルカッタと、を含むテープカッタと、
前記テープ状部材の材質および前記剥離層の有無を検出するテープ検出手段と、
前記テープ検出手段の検出結果に基づいて、前記テープカッタを駆動するか否かを設定するテープカッタ駆動設定手段と、
前記テープカッタ駆動設定手段により前記テープカッタを駆動するように設定された場合、前記テープカッタを駆動して前記テープ状部材を切断するテープカット手段と、を備え、
前記テープカッタ駆動設定手段は、前記テープ検出手段の検出結果に基づいて、前記ハーフカッタを駆動するか否か、および前記フルカッタを駆動するか否かを、それぞれ設定することを特徴とする切断装置。
【請求項２】
前記テープカッタ駆動設定手段は、前記テープ検出手段の検出結果から、前記テープ状部材に前記剥離層が存在しないと判別した場合は、前記ハーフカッタを駆動しないように設定し、前記テープ検出手段の検出結果から、前記テープ状部材がカッタを痛めてしまうような材質であることを検出した場合は、前記ハーフカッタおよび前記フルカッタの両方を駆動しないように設定することを特徴とする請求項１に記載の切断装置。
【請求項３】
前記テープ検出手段は、電源ＯＮの直後に前記テープ状部材の種類を検出することを特徴とする請求項２に記載の切断装置。
【請求項４】
前記テープ検出手段の検出結果から、前記テープ状部材に前記剥離層が存在しないと判別した場合、前記電源ＯＮの直後に、前記ハーフカッタを駆動しないように設定する旨を表示する表示手段を備えたことを特徴とする請求項３に記載の切断装置。
【請求項５】
前記ハーフカッタを駆動するように設定するか否かを指示するハーフカッタ駆動指示手段を更に備え、
前記表示手段は、前記テープ検出手段の検出結果から、前記テープ状部材に前記剥離層が存在しないと判別した場合に、前記ハーフカッタ駆動指示手段により前記ハーフカッタを駆動するように設定する指示があった時、前記テープカッタを駆動するか否かに関する設定変更が無効である旨を表示することを特徴とする請求項４に記載の切断装置。
【請求項６】
請求項１ないし５のいずれかに記載の切断装置と、
前記テープ状部材に印刷を行う印刷装置と、を備えたことを特徴とするテープ印刷装置。
【請求項７】
テープカッタを用いて、受像層と剥離層とを有するテープ状部材を切断する切断方法であって、
前記テープカッタは、前記テープ状部材の受像層のみを切断可能なハーフカッタと、前記テープ状部材の受像層よび剥離層を切断可能なフルカッタと、を含み、
前記テープ状部材の材質および前記剥離層の有無を検出するテープ検出工程と、
前記テープ検出工程の検出結果に基づいて、前記テープカッタを駆動するか否かを設定するテープカッタ駆動設定工程と、
前記テープカッタ駆動設定工程において前記テープカッタを駆動するように設定された場合、前記テープカッタを駆動して前記テープ状部材を切断するテープカット工程と、を備え、
前記テープカッタ駆動設定工程では、前記テープ検出工程における検出結果に基づいて、前記ハーフカッタを駆動するか否か、および前記フルカッタを駆動するか否かを、それぞれ設定することを特徴とする切断方法。
【発明の詳細な説明】
【０００１】
【発明の属する技術分野】
本発明は、テープカッタを用いてテープ状部材を切断可能な切断装置およびこれを備えたテープ印刷装置並びに切断方法に関するものである。
【０００２】
【従来の技術】
従来、受像層と剥離層とからなるテープ状部材に対し、剥離層を剥離しやすくするため、テープ状部材の受像層のみをカットするハーフカット装置が知られている。例えば、特開平９−３１４９３８号公報に記載の切断装置は、剥離層のみをカットする第１切断刃と、受像層のみをカットする第２切断刃とを有し、いずれか又は両方を駆動することで適宜ハーフカットやフルカットを行い得るものである。
【０００３】
【発明が解決しようとする課題】
ところで、このようなハーフカットを行い得る装置の中には、上述の、受像層と剥離層とからなるテープ状部材だけでなく、種々の被印刷媒体が使用可能となっている場合が多い。しかし、被印刷媒体によっては、ハーフカットを行っても意味がないものや、ハーフカットを行うことができないものがある。例えば、転写テープなどのように、１層のみで構成されている被印刷媒体を用いる場合、剥離層が存在しないため、ハーフカットを行っても意味がない。また、磁石層を有する被印刷媒体などを用いる場合は、ハーフカットを行うことで刃を痛めてしまうため（フルカットを行った場合も同様）、はさみ等を用いて切断しなければならなかった。
【０００４】
ところが、このような明らかにハーフカットを行う必要のない被印刷媒体を使用する場合であっても、従来は、切断の必要が生じた場合、ハーフカットかフルカットのいずれの切断方法でカットするかを設定しなければならず、面倒であった。さらに、切断方法に応じてカット操作が異なるため、操作が煩雑となるといった問題があった。
【０００５】
本発明は、上記の問題点に鑑み、検出したテープ種類に基づいて、テープカットを行うか否かの設定を行うことができる切断装置およびこれを備えたテープ印刷装置並びに切断方法を提供することを目的とする。
【０００６】
【課題を解決するための手段】
本発明の切断装置は、テープカッタを用いて、受像層と剥離層とを有するテープ状部材を切断可能な切断装置であって、テープ状部材の受像層のみを切断可能なハーフカッタと、テープ状部材の受像層よび剥離層を切断可能なフルカッタと、を含むテープカッタと、テープ状部材の材質および剥離層の有無を検出するテープ検出手段と、テープ検出手段の検出結果に基づいて、テープカッタを駆動するか否かを設定するテープカッタ駆動設定手段と、テープカッタ駆動設定手段によりテープカッタを駆動するように設定された場合、テープカッタを駆動してテープ状部材を切断するテープカット手段と、を備え、テープカッタ駆動設定手段は、テープ検出手段の検出結果に基づいて、ハーフカッタを駆動するか否か、およびフルカッタを駆動するか否かを、それぞれ設定することを特徴とする。
上記に記載の切断装置において、テープカッタ駆動設定手段は、テープ検出手段の検出結果から、テープ状部材に剥離層が存在しないと判別した場合は、ハーフカッタを駆動しないように設定し、テープ検出手段の検出結果から、テープ状部材がカッタを痛めてしまうような材質であることを検出した場合は、ハーフカッタおよびフルカッタの両方を駆動しないように設定することが好ましい。
上記に記載の切断装置において、テープ検出手段は、電源ＯＮの直後にテープ状部材の種類を検出することが好ましい。
上記に記載の切断装置において、テープ検出手段の検出結果から、テープ状部材に剥離層が存在しないと判別した場合、電源ＯＮの直後に、ハーフカッタを駆動しないように設定する旨を表示する表示手段を備えたことが好ましい。
上記に記載の切断装置において、ハーフカッタを駆動するように設定するか否かを指示するハーフカッタ駆動指示手段を更に備え、表示手段は、テープ検出手段の検出結果から、テープ状部材に剥離層が存在しないと判別した場合に、ハーフカッタ駆動指示手段によりハーフカッタを駆動するように設定する指示があった時、テープカッタを駆動するか否かに関する設定変更が無効である旨を表示することが好ましい。
本発明のテープ印刷装置は、上記に記載の切断装置と、テープ状部材に印刷を行う印刷装置と、を備えたことを特徴とする。
本発明の切断方法は、テープカッタを用いて、受像層と剥離層とを有するテープ状部材を切断する切断方法であって、テープカッタは、テープ状部材の受像層のみを切断可能なハーフカッタと、テープ状部材の受像層よび剥離層を切断可能なフルカッタと、を含み、テープ状部材の材質および剥離層の有無を検出するテープ検出工程と、テープ検出工程の検出結果に基づいて、テープカッタを駆動するか否かを設定するテープカッタ駆動設定工程と、テープカッタ駆動設定工程においてテープカッタを駆動するように設定された場合、テープカッタを駆動してテープ状部材を切断するテープカット工程と、を備え、テープカッタ駆動設定工程では、テープ検出工程における検出結果に基づいて、ハーフカッタを駆動するか否か、およびフルカッタを駆動するか否かを、それぞれ設定することを特徴とする。
なお、以下の構成としても良い。
本発明のハーフカット装置は、受像層と剥離層とを有するテープ状部材の幅方向に対し、ハーフカッタを用いて当該テープ状部材の受像層のみを切断可能なハーフカット装置において、前記テープ状部材の種類を検出するテープ検出手段と、前記テープ検出手段の検出結果に基づいて、前記ハーフカッタを駆動するか否かを設定するハーフカッタ駆動設定手段と、前記ハーフカッタ駆動設定手段により前記ハーフカッタを駆動するように設定された場合、前記ハーフカッタを駆動して前記テープ状部材の受像層のみを切断するハーフカットを行うハーフカット手段と、を備えたことを特徴とする。
【０００７】
また、本発明のハーフカット方法は、受像層と剥離層とを有するテープ状部材の幅方向に対し、ハーフカッタを用いて当該テープ状部材の受像層のみを切断可能なハーフカット方法において、前記テープ状部材の種類を検出するテープ検出工程と、前記テープ検出工程の検出結果に基づいて、前記ハーフカッタを駆動するか否かを設定するハーフカッタ駆動設定工程と、前記ハーフカッタ駆動設定工程により前記ハーフカッタを駆動するように設定された場合、前記ハーフカッタを駆動して前記テープ状部材の受像層のみを切断するハーフカットを行うハーフカット工程と、を備えたことを特徴とする。
【０００８】
この構成によれば、テープ状部材の種類を検出し、その検出結果に基づいて、ハーフカッタを駆動するか否かを設定するため、ハーフカットを行う必要のあるテープ状部材を検出した場合はハーフカッタを駆動し、ハーフカットを行う必要のないテープ状部材を検出した場合はハーフカッタを駆動しない。すなわち、テープ状部材を切断する必要が生じた場合、ユーザは、その都度、ハーフカットを行うか否かの設定を行う必要がないため、操作を簡素化することができる。
【０００９】
この場合、前記テープ検出手段には、前記テープ状部材に剥離層が存在するか否かを検出する手段が含まれ、前記ハーフカッタ駆動設定手段には、前記テープ検出手段により前記テープ状部材に剥離層が存在しないことが検出された場合、ハーフカッタを駆動しないように設定する手段が含まれることが好ましい。
【００１０】
また、この場合、前記テープ検出工程には、前記テープ状部材に剥離層が存在するか否かを検出する工程が含まれ、前記ハーフカッタ駆動設定工程には、前記テープ検出工程により前記テープ状部材に剥離層が存在しないことが検出された場合、ハーフカッタを駆動しないように設定する工程が含まれることが好ましい。
【００１１】
この構成によれば、テープ状部材に剥離層が存在しないことを検出した場合、ハーフカッタを駆動しないように設定するため、例えば、転写テープなどのように１層のみで構成されているためハーフカットを行っても意味がないテープ状部材や、受像層に厚みがあるためハーフカットできないテープ状部材を検出した場合は、ハーフカッタを駆動しない。すなわち、ハーフカットを行う必要のないテープ状部材を使用する場合、ユーザは、ハーフカットを行うか否かの設定を行う必要がないため、操作を簡素化することができる。
【００１２】
これらの場合、前記ハーフカット手段により、前記ハーフカッタを駆動するか否かを指示するハーフカッタ駆動指示手段を更に備え、前記ハーフカッタ駆動設定手段には、前記テープ検出手段により前記テープ状部材に剥離層が存在しないことが検出された場合、前記ハーフカッタ駆動指示手段による指示内容に関わらず、ハーフカッタを駆動しないように設定する手段が含まれることが好ましい。
【００１３】
この構成によれば、テープ状部材に剥離層が存在しないことを検出した場合、ハーフカッタを駆動するよう指示がなされても、ハーフカッタを駆動しないように設定することができる。このため、ハーフカットを行っても意味がないテープ状部材をハーフカットするなど、無駄な処理を行うことがない。
【００１４】
また、これらの場合、前記ハーフカッタ駆動設定手段による設定内容を報知する設定内容報知手段を更に備えたことが好ましい。
【００１５】
この構成によれば、ハーフカッタ駆動設定手段による設定内容を報知する設定内容報知手段を備えているため、ハーフカット装置の使用中、ユーザは、ハーフカットを行うように設定されているか否かを確認することができる。
【００１６】
また、これらの場合、ユーザに対し、メッセージを表示する表示手段を更に備え、前記ハーフカッタ駆動設定手段による設定内容が変更された場合、その旨を表示する手段が含まれることが好ましい。
【００１７】
この構成によれば、ハーフカッタ駆動設定手段による設定内容が変更された場合、その旨を表示するため、ユーザは、ハーフカットを行うか、又は行わないかの設定がなされたこと（設定が変更されたこと）を視覚的に認識することができる。
【００１８】
また、この場合、前記表示手段には、前記テープ検出手段により前記テープ状部材に剥離層が存在しないことが検出された場合、前記ハーフカッタ駆動指示手段による指示内容を無効にする旨を表示する手段が含まれることが好ましい。
【００１９】
この構成によれば、テープ状部材に剥離層が存在しないことを検出した場合、ハーフカッタを駆動するよう指示がなされてもその指示内容を無効にする旨を表示することができる。このため、ユーザは、使用するテープ状部材に剥離層が存在しないことを確認することができると共に、ハーフカッタが駆動されないことを認識することができる。
【００２０】
本発明のテープ印刷装置は、上述のハーフカット装置と、前記テープ状部材に印刷を行う印刷装置とを備えたことを特徴とする。
【００２１】
この構成によれば、テープ状部材の検出結果に基づいて、ハーフカットを行うか否かの設定を行うことができるハーフカット装置を備えているため、ハーフカットを行うか否かの設定の手間を省くことができると共に、テープ状部材に印刷を行うことができる。
【００２２】
【発明の実施の形態】
以下、本発明の一実施形態に係る切断装置およびこれを備えたテープ印刷装置並びに切断方法について、添付図面を参照しながら詳細に説明する。
【００２３】
図１は、本実施形態におけるテープ印刷装置１の全体を示す外観構成であり、図２は、テープ印刷装置１の蓋体８を開蓋した状態の外観構成であり、図３は、テープ印刷装置１の蓋体８を閉蓋し、且つ開閉蓋５を開放してテープカートリッジＣを装着した状態の外観構成である。
【００２４】
図１ないし図３に示すように、このテープ印刷装置１は、装置ケース４により外殻を形成した装置本体２と、装置本体２に着脱自在に装着したテープカートリッジＣとから構成されている。装置本体２は、装置ケース４の後部左方上面に取り付けられた窓付きの開閉蓋５と、開閉蓋５の右隣に配設され開閉蓋５を開閉操作する開閉ボタン６と、開閉ボタン６右方の装置ケース４の上面に配設されたトリム部７と、中間部に取り付けられディスプレイ１４が組み込こまれた開閉自在な蓋体８と、蓋体８の手前側で装置ケース４の上面から突出し露出ランプ群１９を有する三日月形状部９とを備えている。また、三日月形状部９左方の装置ケース４の上面には、２個のキーからなる露出キー群１０が配設され、露出キー群１０と同一平面上に蓋体８に開閉自在に覆われるキーボード３が配設されている。
そして、開閉蓋５の内側には、テープカートリッジＣを着脱自在に装着するポケットＰが形成されている。
【００２５】
図１ないし図３に示すように、テープ印刷装置１では、ユーザが、開閉ボタン６により開閉蓋５を開放し、ポケットＰにテープカートリッジＣを装着した後、蓋体８を開蓋して、キーボード３を開放し、ディスプレイ１４を参照しながらキーボード３を操作する。キーボード３により所望の文字など（文字、数字、記号、簡易図形等のキャラクタ）の印刷情報を入力して、印刷を指示すると、テープカートリッジＣからテープＴを繰り出して、印刷ヘッド１２２によりテープＴに所望の印刷を行い、印刷済み部分はテープ排出口２２から随時外部に送り出される。所望の印刷が完了すると、余白分を含むテープ長さの位置までテープＴの送りを行った後、その送りを停止し、テープ排出口２２に形成されたテープカッタ（フルカット用テープカッタ１３２ａ，図４参照）により、送りだしたテープＴを切断する。
【００２６】
なお、このようにして形成したテープＴの端部をトリム部７によりトリミングすることもできる。すなわち、ユーザは、装置ケース４の上面を下斜め方向に切り込んだテープ挿入ガイド１３にテープＴを案内させることで、自動的に起動するトリミング機構によりテープＴの端部を成形切断（角部をＲ形状に面取り）することもできる。
【００２７】
テープＴは、印刷面となる受像層Ｔａと、その裏面側に形成された粘着材層Ｔｂと、さらにその裏面側に形成された剥離層Ｔｃとにより構成されている（図８（ａ）および（ｂ）参照）。テープＴとインクリボンＲは、貫通孔５５の位置で相互に重なり合った状態で走行するとともに、テープＴのみが外部に排出され、インクリボンＲは内部で巻き取られるようになっている。外部に排出されたテープＴは、剥離層Ｔｃを剥がして貼付対象物に貼付される。なお、テープ印刷装置１には、図８（ｂ）に示すように、１層のみの（剥離層Ｔｃを有しない）テープＴ’も使用可能である。
【００２８】
ところで、テープ印刷装置１は、装置本体２とパソコンＰＣとをケーブルで接続することで、パソコンＰＣで入力・編集したデータをテープＴに印刷することもできる。テープ印刷装置１とパソコンＰＣとの通信接続状態は、装置本体２とパソコンＰＣとをケーブルで接続することで、通信接続待機状態となり、通信入力キー１８のＯＮ操作により、通信接続可能状態へと切り替え可能となっている。すなわち、接続端子部３０は、テープＴの排出口とは反対側の装置ケース４に配設されているため、接続したケーブルやＡＣアダプタのコードが、排出されたテープＴを拾い上げる際に邪魔にならないようになっている。また、テープ印刷装置１は、背面を下にした立ち姿勢でも、パソコンＰＣで入力した印刷データをテープＴに印刷することも可能である。
【００２９】
なお、このようにテープ印刷装置１をパソコンＰＣと通信接続する場合、キーボード３は、特に使用する必要がないため、図１に示すように蓋体８に隠蔽されるようになる。
【００３０】
露出ランプ群１９は、三日月形状部９の中央部に配設された複数の表示ランプから構成されている。複数の表示ランプは、図示左側から、印刷表示ランプ４０、電源表示ランプ４１、ハーフカット表示ランプ４２、通信表示ランプ４３、およびトリム表示ランプ４４の順に配列され、各種の動作状態に対応して点灯・消灯する。印刷表示ランプ４０は、テープＴに印刷中および印刷済みのテープＴをフルカット動作中に点灯し、ハーフカット表示ランプ４２は、印刷に先立ってテープＴの先端部にハーフカットを行うように設定されている場合に点灯する（詳細は後述する）。また、通信表示ランプ４３は、後述する通信入力キー１８がＯＮの状態のときに点灯し、トリム表示ランプ４４は、トリム部７で印刷済みのテープＴの隅部を成形切断中に点灯する。
【００３１】
また、露出キー群１０は、互いに近接して配設した左側の電源入力キー１７と右側の通信入力キー１８とから成る。電源入力キー１７は、装置本体２の電源をＯＮ−ＯＦＦ操作可能とするキーであり、また通信入力キー１８は、パソコンＰＣとの通信接続をＯＮ−ＯＦＦ操作可能とするキーである。
【００３２】
次に、制御系の基本的な構成について説明する。図４のブロック図に示すようにキーボード３やディスプレイ１４を有してユーザとのインタフェースを行う操作部１１、印刷ヘッド（サーマルヘッド）１２２やテープ送り部１２０を有してポケットＰ内に装着したテープカートリッジＣのテープＴに印刷を行う印刷部１２、印刷後のテープＴの切断を行う切断部１３、各種センサを有して各種検出を行う検出部１５、各種ドライバを有して各部回路を駆動する駆動部２７０、および、テープ印刷装置１内の各部を制御する制御部２００を備えている。このため、装置ケース４の内部には、印刷部１２、切断部１３、検出部１５などの他、図外の回路基板が収納されている。この回路基板には、電源ユニットの他、駆動部２７０や制御部２００の各回路などが搭載され、図外のＡＣアダプタ接続口や外部から着脱可能なニッカド電池等の電池に接続されている。
【００３３】
操作部１１は、キーボード３とディスプレイ１４とを備えている。ディスプレイ１４は、横方向（Ｘ方向）約６ｃｍ×縦方向（Ｙ方向）４ｃｍの長方形の形状の内側に、９６ドット×６４ドットの表示画像データを表示可能な表示画面４５を有し、ユーザがキーボード３からデータを入力して、キャラクタ列画像データなどの印刷画像データを作成・編集したり、その結果等を視認したり、キーボード３から各種指令・選択指示等を入力したりする際などに用いられる。
【００３４】
キーボード３には、アルファベットキー群、数字キー群、平仮名や片仮名等の仮名キー群、および外字を呼び出して選択するための外字キー群等を含む文字キー群３１の他、各種の動作モードなどを指定するための機能キー群３２などが配列されている。機能キー群３２には、印刷実行を指示する「印刷」キーの他、漢字変換や機能を選択する場合に、表示されている選択肢を選択する「選択」キー、カーソル位置（図６Ｄ１２等参照）の文字を削除したり各種機能の操作中に操作の取り消しを行う「削除」キー、次に入力されるキャラクタ位置や操作の対象となる位置を示すカーソルＫを移動するための「カーソル」キー（「↑」、「↓」、「→」、「←」）などが含まれる。また、印刷に先立ってテープＴの先端部にハーフカットを行うよう指示する「ハーフカット」キーも含まれる。なお、当然ながら、これらのキー入力は、一般的なキーボードと同様に、各キー入力毎に個別にキーを設けて入力しても良いし、シフトキー等と組み合わせてより少ない数のキーを用いて入力しても良い。図４に示すように、キーボード３は、種々の指令およびデータを制御部２００に入力する。
【００３５】
テープ送り部１２０は、テープを送り出す送りモータ１２１を備え、送りモータ１２１の先端には図外の検出開口が形成された円盤が固着されている。さらに、その検出開口に臨むようにフォトセンサ等を有する回転速度センサ１４１が設けられていて、送りモータ１２１の回転速度を検出して制御部２００に報告する。
【００３６】
印刷部１２には、開閉蓋５の内側に、テープカートリッジＣを装着するためのポケットＰが設けられていて、テープカートリッジＣはこの開閉蓋５を開放した状態でポケットＰに対して着脱される。テープカートリッジＣには、カートリッジケース５１の内部に一定の幅（４．５ｍｍ〜４８ｍｍ程度）のテープＴとインクリボンＲとを収容されており、また、ポケットＰに配設されたヘッドユニットに差し込むための貫通孔５５が形成されている。また、相異なる幅等のテープＴの種別を識別できるように、裏面に小さな複数の孔が設けられ、ポケットＰには、この孔の有無を検出するマイクロスイッチなどのテープ識別センサ１４２が設けられていて、これにより、テープＴの種別を検出できるようになっている。
【００３７】
切断部１３は、テープＴを切断するフルカット用テープカッタ１３２ａと、テープＴの受像層Ｔａおよび粘着層Ｔｂのみを切断するハーフカット用テープカッタ１３２ｂと、任意長印刷などの場合に手動によりテープカッタ１３２ａ、１３２ｂを切断動作させるカットボタン１３３ａ、１３３ｂと、定長印刷などの場合に自動的にテープカッタ１３２ａ、１３２ｂを切断動作させるカッタモータ１３１と、を備えている。また、テープ印刷装置１では、モード設定によって、自動／手動を切り替えられるようにしている。このため、手動カットの場合、印刷が完了した時点で、ユーザが、装置ケース４に配設されたカットボタン１３３ａ、１３３ｂを押すことで、テープカッタ１３２ａ、１３２ｂが作動しテープＴが所望の長さに切断される。また、自動カットの場合、印刷が終了して余白分だけテープ送りされ、それが停止すると同時に、カッタモータ１３１が駆動され、テープＴの切断が行われる。
【００３８】
また、モード設定によって自動に設定された場合は、後述するテープ識別センサ１４２により、テープ種別を検出し、その検出結果に基づいて、印刷に先立ち、テープＴの先端部にハーフカットを行うか否かの設定がなされる。この場合のハーフカットとは、剥離層（剥離紙）Ｔｃを剥離しやすくするため、テープＴに剥離紙Ｔｃのみを残したカットを施すものであり、これにより、テープＴは、スリットの入ったタブ状のものが形成される（図８（ａ）参照）。なお、詳細については後述する。
【００３９】
検出部１５は、前述の回転速度センサ１４１、テープ識別センサ１４２を備えている。
【００４０】
駆動部２７０は、ディスプレイドライバ２７１と、ヘッドドライバ２７２と、モータドライバ２７３とを備えている。ディスプレイドライバ２７１は、制御部２００から出力される制御信号に基づき、その指示にしたがって、操作部１１のディスプレイ１４を駆動する。同様に、ヘッドドライバ２７２は、制御部２００の指示にしたがって、印刷部１２の印刷ヘッド１２２を駆動する。また、モータドライバ２７３は、印刷部１２の送りモータ１２１を駆動する送りモータドライバ２７３ｄと、切断部１３のカッタモータ１３１を駆動するカッタモータドライバ２７３ｃとを有し、同様に、制御部２００の指示にしたがって、各モータを駆動する。
【００４１】
制御部２００は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。ＲＯＭ２２０は、ＣＰＵ２１０で処理する制御プログラムを記憶する制御プログラム領域２２１の他、キャラクタ一覧テーブル、色変換テーブルおよび文字修飾テーブルを含む制御データを記憶する制御データ領域２２２を有している。ＣＧ−ＲＯＭ２３０は、テープ印刷装置１に用意されている記号、図形等のビットマップデータを記憶していて、文字等を特定するコードデータが与えられたときに、対応するビットマップデータを出力する。
【００４２】
ＲＡＭ（記憶装置）２４０は、電源キーの操作により電源がオフにされても、記憶したデータを保持しておくように図外のバックアップ回路によって電源の供給を受けており、各種レジスタ群２４１や、ユーザがキーボード３から入力した文字等のキャラクタデータを記憶するキャラクタデータ領域２４２、表示画面４５の表示画像データを記憶する表示画像データ領域２４３、印刷画像データを記憶する印刷画像データ領域２４４、描画登録画像データを記憶する描画登録画像データ領域２４５の他、印刷履歴データ領域２４６やその他の色変換バッファなどの各種変換バッファ領域２４７などの領域を有し、制御処理のための作業領域として使用される。
【００４３】
Ｐ−ＣＯＮ２５０には、ＣＰＵ２１０の機能を補うとともに周辺回路とのインタフェース信号を取り扱うための論理回路が、ゲートアレイやカスタムＬＳＩなどにより構成されて組み込まれている。例えば、種々の計時を行うタイマ２５１などもＰ−ＣＯＮ２５０内の機能として組み込まれている。このため、Ｐ−ＣＯＮ２５０は、検出部１５の各種センサやキーボード３と接続され、検出部１５からの前述した各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００４４】
そして、ＣＰＵ２１０は、上記の構成により、ＲＯＭ２２０内の制御プログラムにしたがって、Ｐ−ＣＯＮ２５０を介して各種検出信号、各種指令、各種データ等を入力し、ＣＧ−ＲＯＭ２３０からのビットマップデータ、ＲＡＭ２４０内の各種データ等を処理し、Ｐ−ＣＯＮ２５０を介して駆動部２７０に制御信号を出力することにより、印刷の位置制御や表示画面４５の表示制御等を行うとともに、印刷ヘッド１２２を制御して所定の印刷条件でテープＴに印刷するなど、テープ印刷装置１全体を制御している。
【００４５】
ここで、テープ印刷装置１におけるハーフカットの設定方法について説明する。本発明のテープ印刷装置１は、前述の通り、テープ識別センサ１４２により、テープ種別を検出し、その検出結果に基づいて、印刷に先立ち、テープＴの先端部ハーフカットを行うか否かの設定を行うものである。そこで、図５を参照しながら、本発明のハーフカットの設定方法の全体フローを説明する。なお、カットモードの設定は「手動モード」ではなく、「自動モード」に設定されているものとし、テープＴ（テープカートリッジＣ）は、電源をＯＮにした後、装着されるものとする。また、テープ種別の検出は、剥離紙（剥離層）Ｔｃを有するか否かを検出するものとする。
【００４６】
図５に示すように、ユーザにより電源がＯＮにされると、所定の初期設定が行われる（Ｓ１１）。ここで、前回、テープ印刷装置１の電源をＯＦＦにした際に、「ハーフカットＯＮ」の状態に設定されていた場合は、ハーフカットの設定が、「ハーフカットＯＮ」のまま維持する。一方、前回、テープ印刷装置１の電源をＯＦＦした際に、「ハーフカットＯＦＦ」の状態に設定されていた場合は、ハーフカットの設定が、「ハーフカットＯＦＦ」となっているので、ここでは、「ハーフカットＯＮ」の状態に設定し、これに伴って三日月形状部９の中央部に配設されたハーフカット表示ランプ（以下、「ハーフカットＬＥＤ」という）４２は、点灯するものとする。
【００４７】
ここで、ユーザにより「ハーフカット」キーが押下されると（Ｓ１２：Ｙｅｓ）、ハーフカットＬＥＤ４２は消灯し、「ハーフカットＯＦＦ」に設定した旨を表示する（Ｓ１３，図６Ｄ１３参照）。さらに、この状態で、テープＴが装着されて（Ｓ１４，この場合、テープＴは、剥離紙Ｔｃ付のものであっても、剥離紙Ｔｃなしのものであっても良い）、「印刷」キーが押下されると（Ｓ１５）、印刷に先立ったハーフカットは行われず、印刷を行った後、テープＴの後端のフルカットのみが行われる（Ｓ１６，図８（ｂ）参照）。
【００４８】
一方、ユーザにより「ハーフカット」キーの押下が行われなかった場合であって（Ｓ１２：Ｎｏ）、その後、剥離紙Ｔｃ付のテープＴが装着された場合は（Ｓ１７）、（その後、「ハーフカット」キーが押下されず（Ｓ１８：Ｎｏ））「印刷」キーが押下されると（Ｓ１９）、印刷に先立って、テープＴの先端部ハーフカットを行う（Ｓ２０，図８（ａ）参照）。このように、ハーフカットを行うことにより、剥離紙Ｔｃを容易に剥離することができる。具体的には、短冊状に切断されたテープＴの端部をそれぞれ両手でつまみ、受像層Ｔａ側を上向きにして、ハーフカット部を凸曲させると、ハーフカット部から自然に剥離される。すなわち、剥離層Ｔｃを剥離しやすくすることで、ユーザの作業効率を向上させることができる。なお、ハーフカット後、印刷が行われ、テープＴの後端のフルカットが行われる。
【００４９】
ところで、ユーザにより、剥離紙Ｔｃ付のテープＴが装着された後（Ｓ１７）、「ハーフカット」キーが押下された場合は（Ｓ１８：Ｙｅｓ）、ハーフカットＬＥＤ４２が消灯し、「印刷」キーが押下されると（Ｓ１５）、印刷を行った後、フルカットのみを行う（図８（ｂ）参照）。
【００５０】
また、ユーザにより、剥離紙ＴｃなしのテープＴ（テープＴ’：図８（ｂ）参照）が装着された場合は（Ｓ２１）、ハーフカットＬＥＤ４２を消灯すると共に、自動で「ハーフカットＯＦＦ」に設定した旨を表示する（Ｓ２２，図７Ｄ２１参照）。ここで、「ハーフカット」キーが押下されず（Ｓ２３：Ｎｏ）、「印刷」キーが押下されると（Ｓ１５）、印刷を行った後、フルカットのみを行う（Ｓ１６）。一方、「ハーフカット」キーが押下された場合は（Ｓ２３：Ｙｅｓ）、設定変更が無効である旨を表示する（Ｓ２４，図７Ｄ２４参照）。これは、剥離紙ＴｃなしのテープＴ（テープＴ’）が装着されている場合は、ハーフカットを行っても意味がないためである。その後、「印刷」キーが押下されると（Ｓ１５）、印刷を行った後、フルカットのみを行う（Ｓ１６）。
【００５１】
なお、テープＴの送り出し中にテープＴ（カートリッジＣ）が離脱され、印刷不良となることを防ぐため、テープＴ（カートリッジＣ）の交換時（開閉蓋５の開蓋時）には電源が切れてしまうように構成された装置の場合は、電源ＯＮの直後にテープ種を検出するよう構成することが好ましい。この場合、剥離紙付テープＴを検出した場合には、上述の（Ｓ１８）以降の処理を行い、剥離紙なしテープＴ’を検出した場合には、上述の（Ｓ２２）以降の処理を行う。
【００５２】
そこで、上述のように、テープＴの交換時には電源が切れてしまうように構成された装置におけるハーフカットの設定方法を、図６および図７の画面表示４５を参照し、操作手順に従って説明する。まず、剥離紙Ｔｃ付のテープを装着した場合について説明する。図６に示すように、剥離紙Ｔｃ付のテープを装着した後、電源キーをＯＮにすると、テキスト入力画面を表示する（Ｄ１１）。なお、画面表示４５中の「丸付き数字１」は、テキスト１行目の入力であることを示す。また、このとき、ハーフカットＬＥＤ４２を点灯している。
【００５３】
ここで、テキスト「山田  太郎」が入力され（Ｄ１２）、さらに「ハーフカット」キーが押下されると、ハーフカットＬＥＤ４２を消灯すると共に、「ハーフカットＯＦＦ」に設定した旨を表示する（Ｄ１３）。「ハーフカットＯＦＦ」に設定した旨を１〜２秒表示すると、画面はテキスト入力画面に遷移する（Ｄ１４）。この状態で、さらに、「ハーフカット」キーが押下されると、ハーフカットＬＥＤ４２を点灯すると共に、「ハーフカットＯＮ」に設定した旨を表示する（Ｄ１５）。
【００５４】
次に、剥離紙ＴｃなしのテープＴ（テープＴ’）を装着した場合について説明する。図７に示すように、剥離紙ＴｃなしのテープＴ（テープＴ’）を装着した後、電源キーをＯＮにすると、自動で「ハーフカットＯＦＦ」に設定した旨を表示する（Ｄ２１）。また、このときハーフカットＬＥＤ４２は消灯している。さらに、これを１〜２秒表示すると、画面はテキスト入力画面に遷移する（Ｄ２２）。
【００５５】
ここで、テキスト「山田  太郎」が入力され（Ｄ２３）、「ハーフカット」キーが押下されると、ハーフカット不可のテープが装着されているため、設定変更が無効である旨を表示する（Ｄ２４）。これを１〜２秒表示した後、画面はテキスト入力画面に遷移する（Ｄ２５）。
【００５６】
以上、説明したとおり、本発明のハーフカット装置およびこれを備えたテープ印刷装置並びにハーフカット方法によれば、テープＴの種別を検出し、その検出結果に従って、印刷に先立ち、テープＴの先端部にハーフカットを行うか否かを自動的に設定することができる。従って、ハーフカットを行っても意味がないテープＴ（剥離紙Ｔｃが存在しないものなど）を使用する場合、ユーザは、ハーフカットを行わないように設定を切り替える必要がないため、操作を簡素化することができる。また、剥離紙Ｔｃを有するテープＴを使用する場合は、ユーザの指示に従って、ハーフカットを行わないように設定を切り替えることもできる。さらに、ハーフカットＬＥＤ４２によって、ハーフカットが行われるか否かをユーザに報知したり、ハーフカットの設定が変更された場合は、表示画面４５にその旨が表示されるため、操作性が向上する。
【００５７】
なお、上記実施例において、テープＴの種別は、テープカートリッジＣの裏面に形成された孔の有無を検出することにより判別するものとしたが、テープカートリッジＣに識別テープを貼着するなど（例えば、剥離紙Ｔｃ付のテープの場合には黒色の識別テープを貼着し、剥離紙Ｔｃなしのテープの場合には白色の識別テープを貼着するなど）して、検出するようにしても良い。
【００５８】
なお、上記実施例において、テープＴの検出は、剥離紙Ｔｃ付であるか否かを検出するものとしたが、剥離紙Ｔｃの有無だけでなく、テープＴの材質など、テープＴに関する具体的な情報を検出できるよう構成することが好ましい。この構成によれば、剥離紙Ｔｃ付であっても磁石層を有するなど、ハーフカットを行うことで刃を痛めてしまうようなテープＴを検出した場合は、ハーフカットを行わないように設定することができる。なお、この場合は、フルカットも行わないよう構成することが好ましい。これにより、誤ってカットを行い、刃を痛めてしまうなどの問題を解消することができる。
【００５９】
また、受像層Ｔａに厚みがあるためハーフカットできないテープを検出した場合も、ハーフカットを行わないように設定することが好ましい。このように、ハーフカットを行う必要のないテープ状部材に対してハーフカットを行わないことにより、ハーフカットに要するテープ先端部の不要部分（テープの先端部Ｔｐより図示左側部分：図８（ａ）参照）を無くすことができる。
【００６０】
また、本発明のハーフカッタ１３２ｂは、受像層Ｔａおよび粘着層Ｔｂを切断するものであるが、剥離層Ｔｃのみをカットすることにより、剥離層Ｔｃを剥がし易くしても良い。また、ハーフカット用とフルカット用の２種類のカッタを用いるのではなく、１のカッタでハーフカットとフルカットの切断が可能な装置においても、本発明のハーフカット方法を適用可能である。
【００６１】
【発明の効果】
上述のように、本発明のハーフカット装置およびこれを備えたテープ印刷装置並びにハーフカット方法によれば、検出したテープ種類に基づいて、ハーフカットを行うか否かの設定を行うことで操作を簡素化することができる、などの効果がある。
【図面の簡単な説明】
【図１】本発明の一実施形態に係るハーフカット装置を備えたテープ印刷装置の外観斜視図である。
【図２】図１のテープ印刷装置の蓋体を開蓋した状態の外観斜視図である。
【図３】図１のテープ印刷装置の蓋体を閉蓋し、且つ開閉蓋を開放してテープカートリッジを装着した状態の外観斜視図である。
【図４】図１に示すテープ印刷装置の制御系のブロック図である。
【図５】図１のテープ印刷装置におけるハーフカット設定方法の全体フローを示す説明図である。
【図６】剥離紙付きのテープを装着した場合のハーフカット設定方法の一例を画面表示で示す説明図である。
【図７】剥離紙なしのテープを装着した場合のハーフカット設定方法の一例を画面表示で示す説明図である。
【図８】図１に示すテープ印刷装置に用いるテープの積層構造を示す説明図である。
【符号の説明】
１      テープ印刷装置
３      キーボード
Ｃ      テープカートリッジ
１１    操作部
１２    印刷部
１３    切断部
１５    検出部
３１    文字キー群
３２    機能キー群
４２    ハーフカット表示ランプ（ハーフカットＬＥＤ）
４５    表示画面
２００  制御部
２１０  ＣＰＵ
２２０  ＲＯＭ
２３０  ＣＧ−ＲＯＭ
２４０  ＲＡＭ
Ｋ      カーソル
Ｔ      テープ
Ｔ’    テープ（剥離紙なしのもの）
Ｔａ    受像層
Ｔｂ    粘着材層
Ｔｃ    剥離紙層
Ｔｐ    テープ先端部
【図１】
0004545922.tif 000002
【図２】
0004545922.tif 000003
【図３】
0004545922.tif 000004
【図４】
0004545922.tif 000005
【図５】
0004545922.tif 000006
【図６】
0004545922.tif 000007
【図７】
0004545922.tif 000008
【図８】
0004545922.tif 000009